(57)【要約】【課題】  レバーの微調整を容易に行うことを可能にするレバー調整装置を提供すること。【解決手段】  レバー１１０を備えた機構体１００に着脱可能に装着される台座部１０と、台座部に対してスライド移動可能に設けられ且つレバーの回転軸１１１を中心に回転移動する操作子２０とを備え、台座部を機構体に装着するとともに操作子にレバーを係合し、操作子を操作することによりレバーの微調整を行う構成のレバー調整装置である。時計に設けられたレバーの微調整を容易に行うための装置として、好適に利用することが可能である。【選択図】図１
2008083006.tif 000002
【特許請求の範囲】
【請求項１】
レバーを備えた機構体に着脱可能に装着される台座部と、前記台座部に対してスライド移動可能に設けられ且つ前記レバーの回転軸を中心に回転移動する操作子とを備え、
前記台座部を前記機構体に装着するとともに前記操作子に前記レバーを係合し、前記操作子を操作することにより前記レバーの微調整を行うことを特徴とするレバー調整装置。
【請求項２】
前記機構体は時計であり、前記レバーは前記時計の振動数を調整するものであることを特徴とする請求項１記載のレバー調整装置。
【発明の詳細な説明】
【技術分野】
【０００１】
本発明は、レバーの微調整を容易に行うための装置に関する。
【背景技術】
【０００２】
機械時計としては、その振動数を調整することができるように構成されたものが知られている。特許文献１及び２には、この種のてんぷ式ぜんまい時計が開示されている。振動数の調整方法としては、様々な方向が知られているが、これらの特許文献には、調速機に設けられたひげぜんまいの有効長を調整する方法が開示されている。調速機は、脱進機を介して輪列に動力を伝達する機構である。
【特許文献１】特表２００６−５１０８８７号公報
【特許文献２】特開２００６−２３４５２８号公報
【発明の開示】
【発明が解決しようとする課題】
【０００３】
さて、時計の振動数の調整については、レバーを操作して行う構成が広く採用されている。例えば、特許文献１に開示されたものであれば、調整用のネジと直結する回転式のレバーを時計筐体の外部に露出し、これを操作するように構成することが可能である。ただし、そのとき問題となるのは、レバーが小さいと微調整が困難になることである。時計は、性能とともにそのデザインが非常に重視されるものであり、操作性を向上するために大きなレバーを設けると、見た目のバランスが損なわれてしまう。本発明は、このような事情に鑑みてなされたものであり、その目的は、レバーの微調整を容易に行うことを可能にするレバー調整装置を提供することである。
【課題を解決するための手段】
【０００４】
本願第１請求項に記載した発明は、レバーを備えた機構体に着脱可能に装着される台座部と、前記台座部に対してスライド移動可能に設けられ且つ前記レバーの回転軸を中心に回転移動する操作子とを備え、前記台座部を前記機構体に装着するとともに前記操作子に前記レバーを係合し、前記操作子を操作することにより前記レバーの微調整を行う構成のレバー調整装置である。
【０００５】
本願第２請求項に記載した発明は、請求項１において、前記機構体は時計であり、前記レバーは前記時計の振動数を調整するものである構成のレバー調整装置である。
【発明の効果】
【０００６】
本発明によれば、レバーの微調整を容易に行うことを可能にするレバー調整装置を得ることができる。
【発明を実施するための最良の形態】
【０００７】
以下に、本発明の実施例を図面に基づいて詳細に説明する。図１乃至図４に示すレバー調整装置１は、機構体たる機械時計１００に備えられたレバー１１０の微調整を行うものである。レバー１１０は、時計１００の筐体１２０の上部に露出されたものであり、水平方向に回転する構成となっている。レバー１１０の機能は、特に限定はしないが、本例の場合、調速機に設けられたひげぜんまいの有効長を調整することにより、時計１００の振動数を調整するものとなっている。
【０００８】
本例のレバー調整装置１は、時計１００の筐体１２０に着脱可能に装着される台座部１０と、台座部１０に対してスライド移動可能に設けられ且つレバー１１０の回転軸１１１を中心に回転移動する操作子２０とを備えている。レバー１１０の微調整は、台座部１０を機構体に装着するとともに操作子２０にレバー１１０を係合し、操作子２０を操作することによって行われる。
【０００９】
台座部１０は、時計１００の筐体１２０に凹凸嵌合して装着される構成となっている。図例した台座部１０は、その要所に設けられたフック部１０ａを筐体１２０の縁部に掛け止める構成となっている。また、台座部１０及び筐体１２０の要所には、互いに係合する凸部１２０ａ及び凹部１０ｂがそれぞれ設けられている。
【００１０】
レバー１１０の先端部は、下に向って屈曲されており、レバー調整装置１は、レバー１１０の先端部を操作子２０及び台座部１０に挿通しつつ台座部１０を筐体１２０に嵌合して装着される。操作子２０には、レバー１１０の先端部を挿通して係合する孔部２１が設けられており、台座部１０には、レバー１１０の先端部を移動可能に挿通する長孔部１１が設けられている。
【００１１】
更に、台座部１０の上面には、所定の形状の透明板３０がネジ止めされている。操作子２０は、台座部１０と透明板３０との間において水平方向にスライド移動するプレート状の部材である。台座部１０及び操作子２０には、レバー１１０の回転軸１１１を中心とする円筒面状の外周面１２及び内周面２２がそれぞれ設けられており、操作子２０のスライド移動は、これらの外周面１２及び内周面２２にて規制されるようにした。また、操作子２０及び透明板３０には、操作子２０の位置を表示するための目盛２３及び指標３１が設けられている。
【００１２】
以上説明した本例のレバー調整装置によると、レバーの微調整を容易に行うことが可能となる。レバーを操作して時計の振動数を調整し、２４時間あたりの誤差を数十秒以下にしようとするとする場合は、極めてシビアな操作が要求されるが、本例のレバー調整装置を用いれば、そのような困難な操作をより容易に且つ正確に行うことができる。このレバー調整装置は、必要に応じて着脱することができる。尚、本例における各部の構成は、特許請求の範囲に記載した技術的範囲において適宜に設計変更が可能であり、図例説明したものに限定されないことは勿論である。
【産業上の利用可能性】
【００１３】
本発明のレバー調整装置は、時計に設けられたレバーの微調整を容易に行うための装置として、好適に利用することが可能である。
【図面の簡単な説明】
【００１４】
【図１】本発明の実施例に係り、時計に装着されたレバー調整装置を示す上面図である。
【図２】本発明の実施例に係り、時計に装着されたレバー調整装置を示す側面説明図であり、図１のＸ−Ｘ断面説明図である。
【図３】本発明の実施例に係り、時計及びレバー調整装置を示す上面図である。
【図４】本発明の実施例に係り、時計に装着されたレバー調整装置を示す上面図であり、特に、操作子を同図中の矢印方向に移動した場合を示している。
【符号の説明】
【００１５】
１    レバー調整装置
１０    台座部
１０ａ    フック部
１０ｂ    凹部
１１    長孔部
１２    外周面
２０    操作子
２１    孔部
２２    内周面
２３    目盛
３０    透明板
３１    指標
１００    時計
１１０    レバー
１１１    回転軸
１２０    筐体
１２０ａ    凸部
【図１】
2008083006.tif 000003
【図２】
2008083006.tif 000004
【図３】
2008083006.tif 000005
【図４】
2008083006.tif 000006